【事件の表示】
　昭和６３年　特　許　願　第２６１１５６号「焦点合わせ用表示装置」拒絶査定に対する審判事件（平成２年４月１９日出願公開、特開平２−１０７０７１）について、次のとおり審決する。
【結論】
　本件審判の請求は、成り立たない。
【理由】
１．手続きの経緯・本願発明の要旨
　本願は、昭和６３年１０月１７日の出願であって、その請求項２に係る発明は、平成１１年３月１８日付けの手続補正書により補正された明細書及び図面の記載からみて、その特許請求の範囲の請求項２に記載された次のとおりのものと認める。
「撮像用カメラから供給される映像信号から被写体の輪郭に対応する信号成分を抽出して輪郭信号を出力する輪郭信号抽出手段と、前記輪郭信号を前記映像信号に重畳して合成信号を出力する加算手段と、前記合成信号が供給され前記被写体の輪郭が強調された画像を表示する表示手段とを備え、前記撮像用カメラの合焦点状態に応じて、前記表示手段に表示された画像の輪郭の明瞭度が変化する焦点合わせ用表示装置において、
　前記撮像用カメラの同期回路から水平駆動信号と垂直駆動信号とを取り出す同期信号取り出し手段と、
　前記同期信号取り出し手段によって取り出された水平駆動信号と垂直駆動信号とに基いて、前記水平駆動信号のそれぞれから所定の時間だけ遅延された第１の時点から各水平走査期間の終了前の第２の時点までの持続時間を持つパルス列を各垂直走査期間内の第３の時点から第４の時点まで取り出す手段であって、前記第１の時点、第２の時点、第３の時点、第４の時点をそれぞれ独立に変えることができるようになされ、前記表示手段の画面の任意の位置に所望の大きさの焦点合わせ用の区域を設定することができるパルス列取り出し手段と、
　前記パルス列取り出し手段から出力されるパルス列を表示切り替えスイッチを介して受け取るスイッチ手段であって、前記表示切り替えスイッチが開のときには閉の状態を保持して前記輪郭信号を前記加算手段へ供給し、前記表示切り替えスイッチが閉のときには前記パルス列に同期して開閉されて前記輪郭信号を断続し、断続された前記輪郭信号を前記加算手段に供給するスイッチ手段と、
を具備することを特徴とする焦点合わせ用表示装置。」
２．引用例の記載
　これに対して、当審において、平成１０年１２月８日付けで通知した拒絶の理由において引用した実願昭５７−１８３４２４号（実開昭５９−８６７７６公報参照）のマイクロフィルム（以下、第１引用例という）、及び、特開昭６２−６７９７１号公報（以下、第２引用例という）には、下記の事項が記載されている。
　上記第１引用例に記載された考案は、
「ビデオカメラのビューファインダ表示装置に関し、特に、ビデオカメラに内蔵されたブラウン管にフォーカス調整を容易にするための指示を表示するようなビューファインダ表示装置」（第２頁第１０行〜第１３行）
に関するものであって、その一実施例として、
「入力端子３にはビデオカメラから出力されたビデオ信号が入力される。このビデオ信号はエッジ波形発生回路４に与えられる。・・・このエッジ波形発生回路４は、・・・ビデオ信号ｂあるいはｆからそのエッジ信号ｃあるいはｇを検出するものである。エッジ波形発生回路４で検出されたエッジ信号はプランキング回路５に与えられる。ブランキング回路５には被写体１の中央部分１３に対応するウィンドウ信号が入力端子７を介して与えられている。したがって、プランキング回路５は中央部分におけるエッジ信号のみを抽出する。ブランキング回路５から抽出されたエッジ信号は混合回路８に与えられる。この混合回路８には入力されたビデオ信号が与えられていて、このもとのビデオ信号と中央部分におけるエッジ信号が混合されて出力端子９を介してブラウン管に与えられる。」（第６頁第１３行〜第７頁第１２行）
　また、上記第２引用例は、
「ビデオカメラに関する」（第１頁左欄第１５行）ものであって、
「合焦点明示表示はそのエリア、すなわち画枠が固定されているため、常に映像出力のうち一定の位置かつ大きさにしかフォーカスを合わすことができないという欠点がある。」（第２頁右欄第２行〜第５行）という問題点の認識のもと、「本発明はこのような欠点を除去したもので、フォーカスエリアの位置と大きさ（すなわち画粋の大きさ）を被写体に応じて変化できるようにしたもの」（第１頁右欄第６行〜第９行）であって、その一実施例において、「枠ゲート発生回路５はカメラ回路の垂直駆動パルスおよび水平駆動パルス入力源としてある定めた枠ゲート信号を発生し、映像信号処理回路４のうち一部、たとえば第２図に示すビューファインダ画面中のＡ内のみに合焦範囲に明示することができる。・・・ゲート信号可変回路９により、枠ゲート発生回路５のゲート信号を可変できるようにしている。」（第２頁左欄第６行〜第１４行）のような構成が記載されている。
３．対比・判断
　本願の請求項２の発明（以下、前者という）と上記第１引用例記載のもの（以下、後者という）を比較すると、両者は、いずれも焦点合わせ用表示装置に関するものであって、第１引用例の「エッジ波形発生回路４」、「混合回路８」、「ブラウン管」、「ブランキング回路５」は、それぞれ本願請求項２の「輪郭信号抽出手段」、「加算手段」、「表示手段」、「スイッチ手段」に対応している。また、上記第１引用例において、ウインドウ信号により形成されるブラウン管上の中央部分１３の水平方向の開始時点と終了時点、垂直方向の開始時点と終了時点が、それぞれ本願請求項２の第１の時点と第２の時点、第３の時点と第４の時点にそれぞれ対応していることから、第１引用例の「ウインドウ信号」は本願請求項２における焦点合わせ用の区域を設定するための「パルス列」に対応しており、さらに、第１引用例がウインドウ信号を生成あるいは取り出すための手段を有していることは自明であるから、
　両者は、「撮像用カメラから供給される映像信号から被写体の輪郭に対応する信号成分を抽出して輪郭信号を出力する輪郭信号抽出手段と、前記輪郭信号を前記映像信号に重畳して合成信号を出力する加算手段と、前記合成信号が供給され前記被写体の輪郭が強調された画像を表示する表示手段とを備え、前記撮像用カメラの合焦点状態に応じて、前記表示手段に表示された画像の輪郭の明瞭度が変化する焦点合わせ用表示装置において、
　水平駆動信号のそれぞれから所定の時間だけ遅延された第１の時点から各水平走査期間の終了前の第２の時点までの持続時間を持つパルス列を各垂直走査期間内の第３の時点から第４の時点まで取り出す手段であって、焦点合わせ用の区域を設定することができるパルス列取り出し手段と、
　前記パルス列に同期して開閉されて前記輪郭信号を断続し、断続された前記輪郭信号を前記加算手段に供給するスイッチ手段と、
を具備することを特徴とする焦点合わせ用表示装置。」
である点で一致し、
　前者では、パルス列をとりだすために、「前記撮像用カメラの同期回路から水平駆動信号と垂直駆動信号とを取り出す同期信号取り出し手段」を設けるとともに、「パルス列取り出し手段」が「前記同期信号取り出し手段によって取り出された水平駆動信号と垂直駆動信号とに基いて」パルス列を取り出すとともに、「前記第１の時点、第２の時点第３の時点、第４の時点をそれぞれ独立に変えることができるようになされ、前記表示手段の画面の任意の位置に所望の大きさの焦点合わせ用の区域を設定することができる」ように構成されているのに対し、
　後者は、ウインドウ信号を取り出すための具体的手段、及び、ウインドウ信号の位置及び大きさを可変にする構成については記載されていない点（相違点１）、
　前者では、「スイッチ手段」が、「前記パルス列取り出し手段から出力されるパルス列を表示切り替えスイッチを介して受け取るスイッチ手段であって、前記表示切り替えスイッチが開のときには閉の状態を保持して前記輪郭信号を前記加算手段へ供給し、前記表示切り替えスイッチが閉のときには前記パルス列に同期して開閉されて前記輪郭信号を断続し、断続された前記輪郭信号を前記加算手段に供給」しているのに対し、後者では、「表示切り替えスイッチ」、及び、このスイッチの開閉に応じてプランキング回路５を制御する構成を有していない点（相違点２）、
で相違している。
　上記相違点について検討する。
（相違点１について）
　上記第２引用例に開示されるように、カメラ回路の垂直駆動パルスおよび水平駆動パルスとに基づいて枠ゲートパルスを発生させるとともに、枠ゲート信号可変回路によりこの枠ゲートパルスを可変にすることにより、フォーカスエリアの位置と大きさを被写体に応じて変化できるようにすることは周知であることを考慮すると、上記第１引用例において、上記ウインドウ信号を生成するにあたり、「撮像用カメラの同期回路から水平駆動信号と垂直駆動信号とを取り出す」とともに、「前記同期信号取り出し手段によって取り出された水平駆動信号と垂直駆動信号とに基いて」ウインドウ信号を取り出し、さらに、「表示手段の任意の位置に所望の大きさの焦点合わせ用の区域を設定することができる」ように構成することは、格別困難であるとは認められない。
（相違点２について）
　本願明細書においても引用される特開昭６２−１０４２７８号公報にも示されるように、焦点合わせ用の区域を設定することなく、原映像信号からエッジ信号を抽出し、そのエッジ信号を原映像信号と合成して得たファインダ映像信号に基づいてファインダ映像を表示する電子式ビューファインダ装置はよく知られていることから、上記第１引用例において、焦点合わせ用の区域を選択的に表示させようとすることは当業者が容易に予測しうるものと認められる。
　そして、上記第１引用例において、焦点合わせ用の区域を選択的に表示させるための「表示切り替えスイッチ」を設けるとともに、当該表示切り替えスイッチの開閉状態に応じてプランキング回路５を制御し、断続された輪郭信号、又は、断続されていない輪郭信号を選択的に混合回路８に供給させるようにすることは、当業者が容易に採択しうる設計変更にすぎない。
４．むすび
　したがって、本願の請求項２の発明は、上記第１、第２引用例に記載された考案、発明及び周知技術に基づいて当業者が容易に発明をすることができたものであるから、特許法第２９条第２項の規定により特許を受けることができない。
　よって、結論のとおり審決する。